(57)【要約】【課題】ネットワーク上に接続されたサーバでプレゼントを提供し、ユーザ及びプレゼント内容の履歴に基づいてプレゼントの抽選結果を管理して、コンテンツのアクセス数を増加させることができるプレゼント提供システムを提供する。【解決手段】本発明のプレゼント提供システムは、プレゼントの抽選及び提供の対象となるユーザ側端末であるＰＣ２０Ａや携帯電話などの携帯通信機器２０Ｂと、ユーザ側端末２０Ａ，２０Ｂにプレゼントを提供するためのＷｅｂサイトを提供するプレゼント提供サーバ１０と、プレゼント提供サーバ１０及びユーザ側端末２０Ａ，２０Ｂを通信可能に接続するインターネットやイントラネットなどの通信ネットワーク３０と、ユーザ側端末２０Ａ，２０Ｂを通信ネットワーク３０に接続するプロバイダ４０Ａ，４０Ｂと、を備えている。【選択図】  図１
2004264942.tif 000002
【特許請求の範囲】
【請求項１】
抽選によりプレゼントを提供するプレゼント提供サーバであって、
通信を制御する通信制御手段と、
前記通信制御手段を介してプレゼントを抽選して提供するためのコンテンツを提供するコンテンツ提供手段と、
前記コンテンツ提供手段で提供されるプレゼントの抽選を管理する抽選管理手段と、
提供するプレゼントの情報を記憶するプレゼント情報記憶手段と、
を備える、
ことを特徴とするプレゼント提供サーバ。
【請求項２】
さらに、前記コンテンツ提供手段で提供されるコンテンツを記憶するコンテンツ記憶手段を備える、ことを特徴とする請求項１記載のプレゼント提供サーバ。
【請求項３】
さらに、前記コンテンツ提供手段で提供される前記コンテンツにアクセスするユーザの情報を記憶するユーザ情報記憶手段を備え、
前記コンテンツ提供手段は、前記ユーザ情報記憶手段に記憶されている前記ユーザの情報に基づいて、ユーザからのアクセスを制御する、
ことを特徴とする請求項１または２記載のプレゼント提供サーバ。
【請求項４】
前記ユーザの情報は、ユーザの電子メールアドレスを含み、
前記コンテンツ提供手段は、前記ユーザ情報記憶手段に記憶されている前記ユーザの電子メールアドレスに基づいて、ユーザからのアクセスを制御する、
ことを特徴とする請求項３記載のプレゼント提供サーバ。
【請求項５】
前記ユーザの情報は、ユーザ毎に割り当てられた特定の番号（ユーザＩＤ）を含み、
前記コンテンツ提供手段は、前記ユーザ情報記憶手段に記憶されている前記ユーザＩＤに基づいて、ユーザからのアクセスを制御する、
ことを特徴とする請求項３記載のプレゼント提供サーバ。
【請求項６】
さらに、ユーザのアクセス記録を記憶するアクセス履歴記憶手段を備え、
前記抽選管理手段は、前記アクセス履歴記憶手段に記憶されている前記ユーザのアクセス記録に基づいて、前記プレゼント情報記憶手段に記憶されている前記プレゼントの情報の内容を決定する、
ことを特徴とする請求項１から５何れか記載のプレゼント提供サーバ。
【請求項７】
前記抽選管理手段は、前記アクセス履歴記憶手段に記憶されている前記ユーザのアクセス記録に含まれるコンテンツへのアクセス総数に基づいて、前記プレゼント情報記憶手段に記憶されている前記プレゼントの情報の内容を決定する、
ことを特徴とする請求項６記載のプレゼント提供サーバ。
【請求項８】
前記抽選管理手段は、前記プレゼントの情報の内容を前記プレゼントの提供限度総数と抽選確立によって決定する、ことを特徴とする請求項６または７記載のプレゼント提供サーバ。
【請求項９】
前記抽選管理手段は、提供する各プレゼントの抽選確立の総和が、１００［％］になるように抽選確立を制御する、ことを特徴とする請求項８記載のプレゼント提供サーバ。
【請求項１０】
さらに、前記抽選管理手段で抽選された結果を記憶する抽選履歴記憶手段を備え、
前記抽選管理手段は、前記抽選履歴記憶手段に記憶されている前記抽選結果に基づいて、ユーザの抽選を制御する、ことを特徴とする請求項１から９何れか記載のプレゼント提供サーバ。
【請求項１１】
前記抽選管理手段は、前記抽選履歴記憶手段に記憶されているプレゼントの過去の提供総数が、前記プレゼントの提供限度総数を超えた場合、前記当選したプレゼントの替わりに代替プレゼントを提供する、ことを特徴とする請求項１０記載のプレゼント提供サーバ。
【請求項１２】
前記抽選管理手段は、前記抽選履歴記憶手段に記憶されている前記抽選結果に基づいて、過去に所定のプレゼントに当選したユーザに対しては前記所定のプレゼントに関連付けられたプレゼントが提供されないようにユーザの抽選を制御する、ことを特徴とする請求項１０または１１記載のプレゼント提供サーバ。
【請求項１３】
前記抽選管理手段は、前記抽選履歴記憶手段に記憶されている前記抽選結果に基づいて、過去に所定のプレゼントに当選したユーザに対しては前記所定のプレゼントに関連付けられたプレゼントが抽選された場合、代替プレゼントを提供するようにユーザの抽選を制御する、ことを特徴とする請求項１２記載のプレゼント提供サーバ。
【請求項１４】
さらに、前記プレゼント情報記憶手段に記憶される前記プレゼントの情報を入力する入力手段を備える、ことを特徴とする請求項１から１３何れか記載のプレゼント提供サーバ。
【請求項１５】
さらに、前記抽選履歴記憶手段に記憶されている前記プレゼントの抽選履歴及び／または前記アクセス履歴記憶手段に記憶されている前記ユーザのアクセス記録を出力する出力手段を備える、ことを特徴とする請求項１から１４何れか記載のプレゼント提供サーバ。
【請求項１６】
前記コンテンツ提供手段は、コンテンツをＷｅｂページで提供する、ことを特徴とする請求項１から１５何れか記載のプレゼント提供サーバ。
【請求項１７】
抽選によりプレゼントを提供するプレゼント提供システムであって、
プレゼントの抽選を行ってプレゼントを提供するプレゼント提供サーバと、
前記プレゼント提供サーバにアクセスして、プレゼントの抽選と提供を受けるユーザ側端末と、
前記プレゼント提供サーバと前記ユーザ側端末を通信可能に接続する通信ネットワークと、
を備え、
前記プレゼント提供サーバは、前記請求項１から１６何れか記載のプレゼント提供サーバである、
ことを特徴とするプレゼント提供システム。
【請求項１８】
前記通信ネットワークは、インターネットである、ことを特徴とする請求項１７記載のプレゼント提供システム。
【請求項１９】
前記通信ネットワークは、イントラネットである、ことを特徴とする請求項１７記載のプレゼント提供システム。
【請求項２０】
前記ユーザ側端末は、ＰＣ（Ｐｅｒｓｏｎａｌ  Ｃｏｍｐｕｔｅｒ）である、ことを特徴とする請求項１７から１９何れか記載のプレゼント提供システム。
【請求項２１】
前記ユーザ側端末は、携帯型通信機器である、ことを特徴とする請求項１７から１９何れか記載のプレゼント提供システム。
【請求項２２】
抽選によりプレゼントを提供するプレゼント提供方法であって、
（Ａ）提供するプレゼントの情報をプレゼント提供サーバに登録し、
（Ｂ）前記プレゼント提供サーバにアクセスするユーザを管理し、
（Ｃ）登録されているプレゼントの抽選を行い、
（Ｄ）抽選の結果に応じてプレゼントを提供するためのコンテンツを前記ユーザ側に送信し、
（Ｅ）抽選結果と提供状況を記憶する、
ことを特徴とするプレゼントを提供方法。
【請求項２３】
前記ステップ（Ｂ）は、ユーザの電子メールアドレスでユーザを管理する、ことを特徴とする請求項２２記載のプレゼント提供方法。
【請求項２４】
前記ステップ（Ｂ）は、ユーザ毎に割り当てられた特定の番号（ユーザＩＤ）でユーザを管理する、ことを特徴とする請求項２２記載のプレゼント提供方法。
【請求項２５】
前記ステップ（Ｂ）は、ユーザのアクセス記録を記憶し、
前記ステップ（Ａ）は、前記ステップ（Ｂ）で記憶された過去のユーザのアクセス記録に基づいて、前記プレゼントの登録内容を決定する、
ことを特徴とする請求項２２から２４何れか記載のプレゼント提供方法。
【請求項２６】
前記ステップ（Ｂ）は、ユーザのアクセス記録を記憶し、
前記ステップ（Ａ）は、前記ステップ（Ｂ）で記憶された過去のユーザのアクセス記録から算出されるアクセス総数に基づいて、前記プレゼントの登録内容を決定する、
ことを特徴とする請求項２５記載のプレゼント提供方法。
【請求項２７】
前記ステップ（Ａ）は、前記プレゼントの情報を前記プレゼントの名称、提供限度総数、抽選確立によって登録する、ことを特徴とする請求項２２から２６何れか記載のプレゼント提供方法。
【請求項２８】
前記ステップ（Ａ）は、提供する各プレゼントの抽選確立の総和が、１００［％］になるように抽選確立を制御して登録する、ことを特徴とする請求項２７記載のプレゼント提供方法。
【請求項２９】
前記ステップ（Ｃ）は、抽選された結果を記憶し、記憶されている過去の抽選結果に基づいて、プレゼントの抽選を制御する、ことを特徴とする請求項２２から２８何れか記載のプレゼント提供方法。
【請求項３０】
前記ステップ（Ｃ）は、プレゼントの過去の提供総数が、プレゼントの提供限度総数を超えた場合、前記当選したプレゼントの替わりに代替プレゼントを割り当てる、ことを特徴とする請求項２９記載のプレゼント提供方法。
【請求項３１】
前記ステップ（Ｃ）は、過去に所定のプレゼントに当選したユーザに対しては前記所定のプレゼントに関連付けられたプレゼントが提供されないようにユーザの抽選を制御する、ことを特徴とする請求項２９または３０記載のプレゼント提供方法。
【請求項３２】
前記ステップ（Ｃ）は、過去に所定のプレゼントに当選したユーザに対しては前記所定のプレゼントに関連付けられたプレゼントが抽選された場合、代替プレゼントを提供するようにユーザの抽選を制御する、ことを特徴とする請求項３１記載のプレゼント提供方法。
【請求項３３】
前記ステップ（Ｄ）は、コンテンツをＷｅｂページで提供する、ことを特徴とする請求項２２から３２何れか記載のプレゼント提供サーバ。
【請求項３４】
コンピュータにプレゼントの抽選と当該プレゼントの提供をさせるためのプログラムであって、
前記請求項１から１６何れか記載のプレゼント提供サーバの機能を、コンピュータに実現させるためのプログラム。
【請求項３５】
コンピュータにプレゼントの抽選と当該プレゼントの提供をさせるためのプログラムであって、
前記請求項１７から２１何れか記載のプレゼント提供システムの機能を、コンピュータに実現させるためのプログラム。
【請求項３６】
コンピュータにプレゼントの抽選と当該プレゼントの提供をさせるためのプログラムであって、
前記請求項２２から３３何れか記載のプレゼント提供方法の処理を、コンピュータに実行させるためのプログラム。
【発明の詳細な説明】
【０００１】
【発明の属する技術分野】
本発明は、ネットワーク上に接続されたサーバでプレゼントを提供するプレゼント提供サーバ、プレゼント提供システム、プレゼント提供方法及びプログラムに関する。特には、ユーザ及びプレゼント内容の履歴に基づいてプレゼントの抽選結果を管理し、コンテンツのアクセス数を増加させることができるプレゼント提供サーバ、プレゼント提供システム、プレゼント提供方法及びプログラムに関する。
【０００２】
【従来の技術】
従来から、複数のコンピュータを通信回線などによって接続し、データやプログラムなどを複数のコンピュータ同士で蓄積交換したり、データなどを共有するコンピュータ・ネットワーク（以下、単に「ネットワーク」とも言う）が構築されている。
【０００３】
このようなネットワークの方式としては、所定の通信プロトコルなどに準拠すれば、原則として自由にコンピュータの接続ができるオープン型ネットワーク方式と、ネットワークをホスト・コンピュータなどで管理し、接続されるコンピュータなどの端末装置に一定のセキュリティなどの制限を設けて、管理外のコンピュータ・ノードをネットワークに接続させないようにするクローズ型ネットワーク方式がある。
【０００４】
上述のオープン型ネットワーク方式の代表的なものとして、インターネットがある。このインターネットにおいては、通信プロトコルにＴＣＰ（Ｔｒａｎｓｆｅｒ  Ｃｏｎｔｒｏｌ  Ｐｒｏｔｏｃｏｌ）／ＩＰ（Ｉｎｔｅｒｎｅｔ  Ｐｒｏｔｏｃｏｌ）が採用されており、原則としてこの通信プロトコルを遵守したコンピュータであればネットワークに接続することができる。
【０００５】
近年において、インターネットのような自由なネットワーク環境を背景に、ＷＷＷ（Ｗｏｒｌｄ  Ｗｉｄｅ  Ｗｅｂ）などのマルチメディア環境が整備されてきた。特に、最近では、このインターネットを利用して特定のサービスを行うインターネットビジネス（ｅビジネス）といわれるものが多く提案され運営されている。
【０００６】
このインターネットビジネス（ｅビジネス）においては、その提供するＷｅｂサイトへのアクセス数によってインターネットビジネスの成功不成功が決まることが多い。
【０００７】
近年、インターネットや携帯電話などの情報通信によって、さまざまな情報を提供するサービスが存在しているが、提供される情報やサービスの重複が多く散見される。
【０００８】
【発明が解決しようとする課題】
したがって、インターネットビジネスの成功を収めるため、他のＷｅｂサイトとの差別化が必要となる。
【０００９】
従って、本発明の目的は、ネットワーク上に接続されたサーバでプレゼントを提供し、ユーザ及びプレゼント内容の履歴に基づいてプレゼントの抽選結果を管理し、コンテンツのアクセス数を増加させることができるプレゼント提供サーバ、プレゼント提供システム、プレゼント提供方法及びプログラムを提供することである。
【００１０】
【課題を解決するための手段】
上記課題を解決するため、本発明のプレゼント提供サーバは、抽選によりプレゼントを提供するプレゼント提供サーバであって、通信を制御する通信制御手段と、通信制御手段を介してプレゼントを抽選して提供するためのコンテンツを提供するコンテンツ提供手段と、コンテンツ提供手段で提供されるプレゼントの抽選を管理する抽選管理手段と、提供するプレゼントの情報を記憶するプレゼント情報記憶手段と、を備える、ことを特徴とする。
【００１１】
さらに、コンテンツ提供手段で提供されるコンテンツを記憶するコンテンツ記憶手段を備える、ことができる。
【００１２】
またさらに、コンテンツ提供手段で提供されるコンテンツにアクセスするユーザの情報を記憶するユーザ情報記憶手段を備え、コンテンツ提供手段は、ユーザ情報記憶手段に記憶されているユーザの情報に基づいて、ユーザからのアクセスを制御する、ことができる。
【００１３】
また、ユーザの情報は、ユーザの電子メールアドレスを含み、コンテンツ提供手段は、ユーザ情報記憶手段に記憶されているユーザの電子メールアドレスに基づいて、ユーザからのアクセスを制御する、ことができる。
【００１４】
また、ユーザの情報は、ユーザ毎に割り当てられた特定の番号（ユーザＩＤ）を含み、コンテンツ提供手段は、ユーザ情報記憶手段に記憶されているユーザＩＤに基づいて、ユーザからのアクセスを制御する、ことができる。
【００１５】
さらに、ユーザのアクセス記録を記憶するアクセス履歴記憶手段を備え、抽選管理手段は、アクセス履歴記憶手段に記憶されているユーザのアクセス記録に基づいて、プレゼント情報記憶手段に記憶されているプレゼントの情報の内容を決定する、ことができる。
【００１６】
ここで、抽選管理手段は、アクセス履歴記憶手段に記憶されているユーザのアクセス記録に含まれるコンテンツへのアクセス総数に基づいて、プレゼント情報記憶手段に記憶されているプレゼントの情報の内容を決定する、ことができる。
【００１７】
また、抽選管理手段は、プレゼントの情報の内容をプレゼントの提供限度総数と抽選確立によって決定する、ことができる。
【００１８】
ここで、抽選管理手段は、提供する各プレゼントの抽選確立の総和が、１００［％］になるように抽選確立を制御する、ことができる。
【００１９】
さらに、抽選管理手段で抽選された結果を記憶する抽選履歴記憶手段を備え、抽選管理手段は、抽選履歴記憶手段に記憶されている抽選結果に基づいて、ユーザの抽選を制御する、ことができる。
【００２０】
また、抽選管理手段は、抽選履歴記憶手段に記憶されているプレゼントの過去の提供総数が、プレゼントの提供限度総数を超えた場合、当選したプレゼントの替わりに代替プレゼントを提供する、ことができる。
【００２１】
ここで、抽選管理手段は、抽選履歴記憶手段に記憶されている抽選結果に基づいて、過去に所定のプレゼントに当選したユーザに対しては所定のプレゼントに関連付けられたプレゼントが提供されないようにユーザの抽選を制御する、ことができる。
【００２２】
また、抽選管理手段は、抽選履歴記憶手段に記憶されている抽選結果に基づいて、過去に所定のプレゼントに当選したユーザに対しては所定のプレゼントに関連付けられたプレゼントが抽選された場合、代替プレゼントを提供するようにユーザの抽選を制御する、ことができる。
【００２３】
さらに、プレゼント情報記憶手段に記憶されるプレゼントの情報を入力する入力手段を備える、ことができる。
【００２４】
さらに、抽選履歴記憶手段に記憶されているプレゼントの抽選履歴及び／またはアクセス履歴記憶手段に記憶されているユーザのアクセス記録を出力する出力手段を備える、ことができる。
【００２５】
また、コンテンツ提供手段は、コンテンツをＷｅｂページで提供する、ことができる。
【００２６】
また、上記課題を解決するため、本発明のプレゼント提供システムは、抽選によりプレゼントを提供するプレゼント提供システムであって、プレゼントの抽選を行ってプレゼントを提供するプレゼント提供サーバと、プレゼント提供サーバにアクセスして、プレゼントの抽選と提供を受けるユーザ側端末と、プレゼント提供サーバとユーザ側端末を通信可能に接続する通信ネットワークと、を備え、プレゼント提供サーバは、上述のプレゼント提供サーバである、ことを特徴とする。
【００２７】
ここで、通信ネットワークは、インターネットである、ことができる。
【００２８】
または、通信ネットワークは、イントラネットである、こともできる。
【００２９】
また、ユーザ側端末は、ＰＣ（Ｐｅｒｓｏｎａｌ  Ｃｏｍｐｕｔｅｒ）である、ことができる。
【００３０】
または、ユーザ側端末は、携帯型通信機器である、ことができる。
【００３１】
また、上記課題を解決するため、本発明のプレゼント提供方法は、抽選によりプレゼントを提供するプレゼント提供方法であって、（Ａ）提供するプレゼントの情報をプレゼント提供サーバに登録し、（Ｂ）プレゼント提供サーバにアクセスするユーザを管理し、（Ｃ）登録されているプレゼントの抽選を行い、（Ｄ）抽選の結果に応じてプレゼントを提供するためのコンテンツをユーザ側に送信し、（Ｅ）抽選結果と提供状況を記憶する、ことを特徴とする。
【００３２】
ここで、ステップ（Ｂ）は、ユーザの電子メールアドレスでユーザを管理する、ことができる。
【００３３】
また、ステップ（Ｂ）は、ユーザ毎に割り当てられた特定の番号（ユーザＩＤ）でユーザを管理する、こともできる。
【００３４】
また、ステップ（Ｂ）は、ユーザのアクセス記録を記憶し、ステップ（Ａ）は、ステップ（Ｂ）で記憶された過去のユーザのアクセス記録に基づいて、プレゼントの登録内容を決定する、ことができる。
【００３５】
また、ステップ（Ｂ）は、ユーザのアクセス記録を記憶し、ステップ（Ａ）は、ステップ（Ｂ）で記憶された過去のユーザのアクセス記録から算出されるアクセス総数に基づいて、プレゼントの登録内容を決定する、ことができる。
【００３６】
ここで、ステップ（Ａ）は、プレゼントの情報をプレゼントの名称、提供限度総数、抽選確立によって登録する、ことができる。
【００３７】
また、ステップ（Ａ）は、提供する各プレゼントの抽選確立の総和が、１００［％］になるように抽選確立を制御して登録する、とよい。
【００３８】
ここで、ステップ（Ｃ）は、抽選された結果を記憶し、記憶されている過去の抽選結果に基づいて、プレゼントの抽選を制御する、ことができる。
【００３９】
このとき、ステップ（Ｃ）は、プレゼントの過去の提供総数が、プレゼントの提供限度総数を超えた場合、当選したプレゼントの替わりに代替プレゼントを割り当てる、ことができる。
【００４０】
また、ステップ（Ｃ）は、過去に所定のプレゼントに当選したユーザに対しては所定のプレゼントに関連付けられたプレゼントが提供されないようにユーザの抽選を制御する、ことができる。
【００４１】
このとき、ステップ（Ｃ）は、過去に所定のプレゼントに当選したユーザに対しては所定のプレゼントに関連付けられたプレゼントが抽選された場合、代替プレゼントを提供するようにユーザの抽選を制御する、ことができる。
【００４２】
また、ステップ（Ｄ）は、コンテンツをＷｅｂページで提供する、ことができる。
【００４３】
また、上記課題を解決するため、本発明の第１の態様のプログラムは、コンピュータにプレゼントの抽選と当該プレゼントの提供をさせるためのプログラムであって、上述のプレゼント提供サーバの機能を、コンピュータに実現させることを特徴とする。
【００４４】
また、上記課題を解決するため、本発明の第２の態様のプログラムは、コンピュータにプレゼントの抽選と当該プレゼントの提供をさせるためのプログラムであって、上述のプレゼント提供システムの機能を、コンピュータに実現させることを特徴とする。
【００４５】
また、上記課題を解決するため、本発明の第３の態様のプログラムは、コンピュータにプレゼントの抽選と当該プレゼントの提供をさせるためのプログラムであって、上述のプレゼント提供方法の処理を、コンピュータに実行させることを特徴とする。
【００４６】
【発明の実施の形態】
以下、図面を参照して本発明のプレゼント提供サーバ、プレゼント提供システム、プレゼント提供方法及びプログラムの実施の形態を説明する。
【００４７】
図１は、本発明のプレゼント提供システムの一例を示す図である。図１において、このプレゼント提供システムは、プレゼントの抽選及び提供の対象となるユーザ側端末であるＰＣ（Ｐｅｒｓｏｎａｌ  Ｃｏｍｐｕｔｅｒ）２０Ａや携帯電話などの携帯通信機器２０Ｂと、ユーザ側端末２０Ａ，２０Ｂにプレゼントを提供するためのＷｅｂサイトを提供するプレゼント提供サーバ（以下、単に「サーバ」ともいう）１０と、プレゼント提供サーバ１０及びユーザ側端末２０Ａ，２０Ｂを通信可能に接続するインターネットやイントラネットなどの通信ネットワーク３０と、ユーザ側端末２０Ａ，２０Ｂを通信ネットワーク３０に接続するプロバイダ４０Ａ，４０Ｂと、を備えている。
【００４８】
図２は、本発明のプレゼント提供サーバを示す図である。このプレゼント提供サーバ１０は、通信を制御する通信制御部１１と、通信制御部１１を介してプレゼントを抽選して提供するためのコンテンツをＷｅｂページとして提供するＷｅｂ処理部１２と、Ｗｅｂ処理部１２で提供されるプレゼントの抽選を管理する抽選管理部１６と、提供するプレゼントの情報を記憶するプレゼントＤＢ（Ｄａｔａ  Ｂａｓｅ）１７と、Ｗｅｂ処理部１２で提供されるコンテンツを記憶するＷｅｂＤＢ１３と、Ｗｅｂ処理部１２で提供されるコンテンツにアクセスするユーザの情報を記憶するユーザＤＢ１４と、ユーザのアクセス記録を記憶するアクセス履歴ＤＢ１５と、抽選管理部１６で抽選された結果を記憶する抽選履歴ＤＢ１８と、プレゼントＤＢ１７に記憶されるプレゼントの情報を入力し、抽選履歴ＤＢ１８に記憶されているプレゼントの抽選履歴及び／またはアクセス履歴ＤＢ１５に記憶されているユーザのアクセス記録を出力する入出力部１９と、を備える。
【００４９】
ここで、Ｗｅｂ処理部１２は、ユーザＤＢ１４に記憶されているユーザの情報に基づいて、ユーザからのアクセスを制御する。このとき、ユーザの情報は、ユーザの電子メールアドレスを含み、Ｗｅｂ処理部１２は、ユーザＤＢ１４に記憶されているユーザの電子メールアドレスに基づいて、ユーザからのアクセスを制御することができ、または、ユーザの情報は、ユーザ毎に割り当てられた特定の番号（ユーザＩＤ）を含み、Ｗｅｂ処理部１２は、ユーザＤＢ１４に記憶されているユーザＩＤに基づいて、ユーザからのアクセスを制御することができる。
【００５０】
また、抽選管理部１６は、アクセス履歴ＤＢ１５に記憶されているユーザのアクセス記録に基づいて、プレゼントＤＢ１７に記憶されているプレゼントの情報の内容を決定する。ここで、抽選管理部１６は、アクセス履歴ＤＢ１５に記憶されているユーザのアクセス記録に含まれるコンテンツへのアクセス総数に基づいて、プレゼントＤＢ１７に記憶されているプレゼントの情報の内容を決定することができる。
【００５１】
また、抽選管理部１６は、プレゼントの情報の内容をプレゼントの提供限度総数と抽選確立によって決定する。ここで、抽選管理部１６は、提供する各プレゼントの抽選確立の総和が、１００［％］になるように抽選確立を制御することができる。
【００５２】
さらに、抽選管理部１６は、抽選履歴ＤＢ１８に記憶されている抽選結果に基づいて、ユーザの抽選を制御する。このとき、抽選管理部１６は、抽選履歴ＤＢ１８に記憶されているプレゼントの過去の提供総数が、プレゼントの提供限度総数を超えた場合、当選したプレゼントの替わりに代替プレゼントを提供することができる。
【００５３】
また、抽選管理部１６は、抽選履歴ＤＢ１８に記憶されている抽選結果に基づいて、過去に所定のプレゼント（例えば、高額なプレゼント）に当選したユーザに対しては所定のプレゼントに関連付けられたプレゼント（例えば、高額なプレゼントとしてグループ分けされたプレゼント群に属するプレゼント）が提供されないようにユーザの抽選を制御することができる。このとき、過去に所定のプレゼントに当選したユーザに対しては所定のプレゼントに関連付けられたプレゼントが抽選された場合、代替プレゼントを提供するようにユーザの抽選を制御することができる。
【００５４】
図３は、本発明のプレゼント提供方法の処理を示すフローチャートである。図１〜図３において、先ず、提供するプレゼントの情報をプレゼント提供サーバ１０に登録するステップ３０１）。ここで、プレゼントの情報をプレゼントの名称、提供限度総数、抽選確立によって登録する。また、提供する各プレゼントの抽選確立の総和が、１００［％］になるように抽選確立を制御して登録することができる。
【００５５】
ユーザ側端末２０Ａ，２０Ｂからプレゼント提供サーバ１０にアクセスがあった場合（ステップ３０２）、アクセスするユーザを管理する（ステップ３０３、ステップ３０４）。
【００５６】
ここで、ステップ３０３において、ユーザの電子メールアドレスやユーザ毎に割り当てられた特定の番号（ユーザＩＤ）でユーザを管理することができる。また、ステップ３０３で、ユーザのアクセス記録を記憶する。
【００５７】
具体的には、ユーザの電子メールアドレスやユーザ毎に割り当てられた特定の番号（ユーザＩＤ）で、ユーザのアクセス期間やアクセス回数を制限することができる。例えば、ユーザのアクセスを１日１回に限る、所有ポイント数に応じてアクセス回数を限定するなどの制限をし、この制限内かどうかをチェックする（ステップ３０３）。制限を超える場合（ステップ３０３）には、エラー表示などの制限処理を行って（ステップ３０４）、ユーザに対する本サービスの提供を中止する。
【００５８】
ステップ３０３でチェックＯＫな場合（ステップ３０３）、プレゼント抽選用のＷｅｂページを提供し、このＷｅｂページで登録されているプレゼントの抽選を行う（ステップ３０５）。
【００５９】
ここで、ステップ３０５は、抽選された結果を記憶し、記憶されている過去の抽選結果に基づいて、プレゼントの抽選を制御することができる（ステップ３０６）。例えば、プレゼントの過去の提供総数が、プレゼントの提供限度総数を超えた場合（ステップ３０６）、当選したプレゼントの替わりに代替プレゼントを割り当てたり（ステップ３０７）、同一ユーザが、過去に所定のプレゼント（例えば、高額なプレゼント）に当選したユーザに対しては所定のプレゼントに関連付けられたプレゼント（例えば、高額なプレゼントとしてグループ分けされたプレゼント群に属するプレゼント）が提供されないようにユーザの抽選を制御し（ステップ３０６）、このとき、過去に所定のプレゼントに当選したユーザに対しては所定のプレゼントに関連付けられたプレゼントが抽選された場合、代替プレゼントを提供するようにユーザの抽選を制御することができる（ステップ３０７）。
【００６０】
次に、抽選の結果に応じてプレゼントを提供するためのコンテンツをＷｅｂページなどでユーザ側端末２０Ａ，２０Ｂに送信し、Ｗｅｂページに示された手順でユーザ側端末２０Ａ，２０Ｂを操作することにより、プレゼントの提供を受けることができる（ステップ３０８）。
【００６１】
そして、抽選結果と提供状況を記憶して履歴管理を行う（ステップ３０９）。
【００６２】
このサービスは、プレゼントの品切れや期間を限定して行うことができ、サービスの終了まで続けることができる（ステップ３１０）。
【００６３】
また、サービス中に、ステップ３０３で記憶された過去のユーザのアクセス記録に基づいて、プレゼントの登録内容を変更する（ステップ３１１）。例えば、記憶された過去のユーザのアクセス記録から算出されるアクセス総数に基づいて、プレゼントの登録内容を変更し（ステップ３１１）、登録する（ステップ３０１）ことができる。
【００６４】
以上、本発明の本発明のプレゼント提供サーバ、プレゼント提供システム、及びプレゼント提供方法を説明したが、上述のプレゼント提供サーバの機能、プレゼント提供システムの機能、又はプレゼント提供方法の処理をコンピュータに実現又は実行させ、コンピュータにプレゼントの抽選と当該プレゼントの提供をさせるためのプログラムとすることができる。
【００６５】
【発明の効果】
以上述べた通り、本発明のプレゼント提供サーバ、プレゼント提供システム、プレゼント提供方法及びプログラムによれば、ネットワーク上に接続されたサーバでプレゼントを提供し、ユーザ及びプレゼント内容の履歴に基づいてプレゼントの抽選結果を管理することにより、コンテンツのアクセス数を増加させることができるようになった。
【図面の簡単な説明】
【図１】本発明のプレゼント提供システムの一例を示す図である。
【図２】本発明のプレゼント提供サーバを示す図である。
【図３】本発明のプレゼント提供方法の処理を示すフローチャートである。
【符号の説明】
１０  プレゼント提供サーバ
１１  通信制御部
１２  Ｗｅｂ処理部
１３  ＷｅｂＤＢ
１４  ユーザＤＢ
１５  アクセスＤＢ
１６  抽選管理部
１７  プレゼントＤＢ
１８  抽選履歴ＤＢ
１９  入出力部
２０Ａ  ＰＣ
２０Ｂ  携帯電話
３０  通信ネットワーク
４０Ａ，４０Ｂ  プロバイダ
【図１】
2004264942.tif 000003
【図２】
2004264942.tif 000004
【図３】
2004264942.tif 000005